(57)【特許請求の範囲】
【請求項１】
歩道又は車道の長手方向に設置して所定幅の自転車道を区画する断面略台形状で長尺の畦畔体と、該畦畔体の上部に取り付けられた所定高さを有する標識体と、該標識体の基部を該畦畔体の上部に取り付ける取付具とを備え、該取付具は、該畦畔体の上部及び側部と略同一の断面形状を有する上部カバー部材と、該畦畔体の下縁部に係合する一対の断面略Ｌ字形の係合部材と、該係合部材を該上部カバー部材の側部に連結させるボルトとからなり、該標識体の基部は該上部カバー部材に一体的に連結されていることを特徴とする道路分離構造体。
【請求項２】
前記取付具を前記畦畔体に沿って移動させる直線駆動機構を有していることを特徴とする請求項１に記載の道路分離構造体。
【請求項３】
前記標識体がポール状、柵状のものからなることを特徴とする請求項１又は２に記載の道路分離構造体。
【請求項４】
前記標識体に交通標識が表示されていることを特徴とする請求項１〜３のいずれかに記載の道路分離構造体。
【請求項５】
前記標識体に、太陽電池と、該太陽電池によって作られた電気を蓄える蓄電池と、該蓄電池に蓄えられた電気によって発光する発光体とが取り付けられていることを特徴とする請求項１〜４のいずれかに記載の道路分離構造体。
【請求項６】
前記標識体に反射テープ又は反射板が取り付けられていることを特徴とする請求項１〜５のいずれかに記載の道路分離構造体。
【請求項７】
前記畦畔体、前記標識体及び前記取付具の全部又は一部に光を反射する反射塗料が被覆されていることを特徴とする請求項１〜６のいずれかに記載の道路分離構造体。
【請求項８】
前記畦畔体の側部が潤滑性の良い材料によって被覆又は構成されていることを特徴とする請求項１〜７のいずれかに記載の道路分離構造体。
【請求項９】
前記標識体がロープ又はベルトを内蔵していることを特徴とする請求項１〜８のいずれかに記載の道路分離構造体。
【請求項１０】
前記標識体がロープ又はベルトの端部を係合させる係合部を有していることを特徴とする請求項１〜９のいずれかに記載の道路分離構造体。
【発明の詳細な説明】
【技術分野】
【０００１】
本発明は、歩道又は車道から自転車道を区画・分離する道路分離構造体に関するものである。
【背景技術】
【０００２】
道路交通法では、歩行者は歩道を歩き、自転車は車道を走ることになっている。しかし、車道には多数の自動車が走っているので、自転車にとって非常に危険である。そこで、歩道を自転車が通行することが特例として認められている。
【０００３】
しかし、最近、歩道を通行する自転車の数が増加し、自転車が歩行者に衝突して、歩行者を負傷させる事故が多発している。
【０００４】
そこで、自転車が歩行者に衝突する事故を防止するため、図９に示すように、歩道に柵を長手方向に連続的に設置したり、歩道に細長い略台形状の鋼製ブロック｛以下、畦畔体（けいはんたい）という。｝を長手方向に連続的に設置して、歩道に自転車道を区画形成することが試みられている。
【０００５】
ここで、柵を歩道の長手方向に連続的に設置して自転車道を区画形成する場合は、柵の下部を支える基礎のための工事をすべての柵について行わなければならず、工事が大がかりになり、費用がかかるので、畦畔体を歩道に設置する方法が好まれる。
【０００６】
ただ、畦畔体を歩道に設置した場合、足下を良く見ないで歩いている歩行者が、目線の下方に設置されている低い畦畔体の存在を認識することができず、畦畔体につまずいて転んでしまうことがあるという問題がある。
【０００７】
また、畦畔体を歩道に設置した場合、自転車に乗っている運転者が、目線の下方に設置されている低い畦畔体の存在を認識することができず、畦畔体に自転車を乗り上げて転んでしまうことがあるという問題がある。
【０００８】
そこで、図１０に示すように、畦畔体１０と畦畔体１０の間に空き地を所々設け、ここに防護柵や標識柱などの標識体１２を設置し、歩行者や自転車運転者に標識体１２と共に、足下の畦畔体１０の存在を認識させるようにしている。
【０００９】
しかし、標識体１２を設置する際に、この位置に標識体１２を設置すれば畦畔体１０の存在を歩行者や自転車運転者に最も認識性が高いと考えられる計画をし、標識体１２を設置しても、実際に運用してみると畦畔体１０の存在を歩行者や自転車運転者に対して効果的に認識させることができないことがある。
【００１０】
そして、図１２に示すように、歩行者が畦畔体１０につまずいて転んだり、自転車が畦畔体１０に乗り上げて転倒するなどの事故を生ずることがあった。このため、標識体１２を設置した後でも、標識体１２を効果的な場所に移動させる必要性があった。
【００１１】
しかし、図１１に示すように、標識体１２を移動させるのに適当と思われる場所には畦畔体１０が設置されており、標識体１２だけを単純に移動させることができず、標識体１２の移動を畦畔体１０とともに全体の配置として工事をやり直さなければならず、標識体１２の位置を変更すると非常にコストが掛かるという問題があった。
【００１２】
また、従来のように畦畔体１０を設ける方法では、連続的に設置される畦畔体１０の途中に標識体１２を設置するための空き地を所々設けなければならないが、標識体１２の設置状況によっては畦畔体１０の長さが不揃いとなり、バランスの悪いデザインとなり、歩道の景観が非常に悪くなるという問題もあった。
【先行技術文献】
【特許文献】
【００１３】
【特許文献１】実用新案登録第３１５８２９２号公報
【発明の概要】
【発明が解決しようとする課題】
【００１４】
本発明が解決しようとする課題は、歩行者や自転車運転者に対して畦畔体の存在を認識させる標識体である防護柵や標識柱の位置を容易に変更させることができない点である。
【課題を解決するための手段】
【００１５】
本発明は、歩道又は自転車道上の畦畔体の存在を歩行者又は自転車運転手が常に認識可能とするため、所定高さを有する標識体を畦畔体の上部に取り付け、移動可能としたことを最も主要な特徴とする。
【００１６】
すなわち、本発明に係る道路分離構造体は、歩道又は車道の長手方向に設置して所定幅の自転車道を区画する略台形状の畦畔体と、該畦畔体の上部に取り付けられた所定高さを有する標識体と、該標識体の基部を該畦畔体に固定する取付具とを備え、該取付具は該畦畔体の任意の長手方向位置に取り付け可能になっていることを特徴とする。
【００１７】
ここで、前記取付具は前記畦畔体に摺動可能に取り付けられていてもよい。このような取付具としては、前記畦畔体の上部及び側部と略同一の断面形状を有する上部カバー部材と、前記畦畔体の下縁部に係合する一対の断面略Ｌ字形の係合部材と、該係合部材を該上部カバー部材の側部に連結させるボルトとで構成したものを挙げることができる。
【００１８】
また、このような取付具として、前記畦畔体の上部に長手方向に沿って形成された断面略コ字状の溝と、該溝内に摺動可能に挿入された取付具とを備え、該溝は側部に長手方向に沿って嵌合溝又は嵌合スリットを有し、該取付具は所望位置で回転させることにより該嵌合溝又は嵌合スリットに嵌合できるようにしたものでもよい。
【００１９】
また、前記畦畔体の上部に前記取付具を取り付けるための取付穴を長手方向に複数個設けるようにしてもよい。
【００２０】
また、前記取付具を前記畦畔体の長手方向に移動させる直線駆動機構を設けてもよい。直線駆動機構としては、ラック・アンド・ピニオン、ウォームラック、チェーン、ねじ軸、ボール・ナット等を使用した機構を採用することができる。
【００２１】
また、前記標識体に交通標識を表示してもよいし、前記標識体に反射テープ又は反射板を取り付けるようにしてもよい。また、前記畦畔体、前記標識体及び前記取付具の全部又は一部に光を反射する反射塗料を被覆してもよい。
【００２２】
また、前記標識体に、太陽電池と、該太陽電池によって作られた電気を蓄える蓄電池と、該蓄電池に蓄えられた電気によって発光する発光体とが取り付けられていてもよい。
【００２３】
また、前記標識体としてポール状、柵状のものを使用することができる。前記畦畔体の側部を潤滑性の良い材料によって被覆又は形成してもよい。
【００２４】
また、前記標識体にロープやベルトの端部を係合させる係合部を設けても良いし、前記標識体にロープやベルトを内蔵させてもよい。
【発明の効果】
【００２５】
本発明は、畦畔体の上部に所定高さを有する標識体が設けられているので、歩行者や自転車運転者が標識体を見ることによって標識体の下方に畦畔体が設置されていることを認識し、畦畔体につまづいて転んだり、畦畔体に接触しないように気を付け、従って、歩行者が畦畔体につまずいて転ぶ事故が防止され、自転車が畦畔体に接触して転倒する事故が防止される。
【００２６】
また、本発明は、取付具が畦畔体に摺動可能に取り付けられている場合、標識体を畦畔体の所望の位置に容易に移動させることができ、場合によっては、標識体を一ヶ所に集めて歩道をイベントスペースなどとして用いることができる。
【００２７】
また、本発明は、畦畔体を連続的に設置することができ、認識性を確認後、標識体（防護柵、標識柱、標識板）の付け替えが可能で、標識体などを設置状況に合わせて配置することができ、自転車道全体として連続性のあるデザインとすることができる。
【００２８】
また、本発明は、取付具が、畦畔体の上部及び側部と略同一の断面形状を有する上部カバー部材と、畦畔体の下縁部に係合する一対の断面略Ｌ字形の係合部材と、係合部材を上部カバー部材の側部に連結させるボルトとからなる場合、畦畔体に取付具を挟み込むように取り付けることができ、従って、標識体を畦畔体の所望の位置に容易に取り付けることができる。
【００２９】
すなわち、専用のＬ字金物を使用し畦畔体の下部に金物を差し込む構造のため、畦畔体と防護柵等をほぼ一体化的に、しっかりした取付強度で取り付けることができ、しかも、畦畔体に取付具を被せる形式のため、畦畔体がある位置ならば、何処にでも設置することができる。
【００３０】
また、本発明は、標識体の設置が簡易で、標識体の取り外しも容易に行うことができるので、道路分離用構造体の施工性が向上し、従来のように、標識体（防護柵、標識柱、標識板）を歩道に埋め込むための特別な施工管理などが必要ない。
【００３１】
また、本発明は、畦畔体の上部に長手方向に沿って形成された断面略コ字状の溝と、該溝内に摺動可能に挿入された取付具とを備え、該溝は側部に長手方向に沿って嵌合溝又は嵌合スリットを有し、該取付具は所望位置で回転させることにより該嵌合溝又は嵌合スリットに嵌合可能になっている場合、取付具が畦畔体の上部に設けられた溝に摺動可能で、且つ所望位置で嵌合可能なので、標識体を畦畔体の所望の位置に容易に取り付けることができるという効果がある。
【００３２】
また、本発明は、畦畔体の上部に取付具を取り付けるための取付穴が長手方向に複数個設けられている場合、畦畔体の所望の位置に標識体を取り付けることができるという効果がある。
【００３３】
また、本発明は、取付具を畦畔体の長手方向に移動させる直線駆動機構を有している場合、標識体を畦畔体の所望の位置に容易に移動させることができるという効果がある。
【００３４】
また、本発明は、標識体に交通標識が表示されている場合、歩道及び自転車道が歩行者及び自転車により混乱なく利用され、自転車が歩行者に衝突する事故を更に防止することができるという効果がある。
【００３５】
また、本発明は、標識体に、太陽電池と、該太陽電池によって作られた電気を蓄える蓄電池と、該蓄電池に蓄えられた電気によって発光する発光体とが取り付けられている場合、暗がりの中で標識体や畦畔体を自転車の運転者や歩行者に認識させ、自転車の運転者や歩行者が標識体や畦畔体にぶつかる事故を防止することができるという効果がある。
【００３６】
また、本発明は、標識体に反射テープ又は反射板が取り付けられている場合、暗がりの中で標識体や畦畔体を自転車の運転者に認識させ、自転車の運転者が標識体や畦畔体にぶつかる事故を防止することができるという効果がある。
【００３７】
また、本発明は、畦畔体、標識体及び取付具の全部又は一部に光を反射する反射塗料が被覆されているので、暗がりの中で標識体や畦畔体を自転車の運転者や歩行者に認識させ、自転車の運転者や歩行者が標識体や畦畔体にぶつかる事故を防止することができるという効果がある。
【００３８】
また、本発明は、畦畔体の側部が潤滑性の良い材料によって被覆又は構成されているので、畦畔体に接触した自転車を道路の中央方向に滑らかに戻すことができるという効果がある。
【図面の簡単な説明】
【００３９】
【図１】図１はポールタイプの標識体を取り付けた道路分離構造体（部分）の斜視図である。
【図２】図２はポールタイプの標識体を取り付けた道路分離構造体（部分）の断面図である。
【図３】図３はポールタイプの標識体を取り付けた道路分離構造体（部分）の側面図である。
【図４】図４は柵タイプの標識体を取り付けた道路分離構造体（部分）の斜視図である。
【図５】図５は上部に交通標識が取り付けられ、下部に取付具が取り付けられたポールタイプの標識体の斜視図である。
【図６】図６は畦畔体の上部に設けた溝に取付具を標識体とともに取り付ける様子を示す説明図である。
【図７】図７は畦畔体の上部に設けた溝に取付具を標識体とともに取り付ける様子を示す断面図である。
【図８】図８は畦畔体の上部に設けた穴に取付具を標識体とともに取り付ける様子を示す説明図である。
【図９】図９は従来の道路分離構造体の一例の説明図である。
【図１０】図１０は従来の道路分離構造体の他の例の説明図である。
【図１１】図１１は従来の道路分離構造体の問題点の一例を説明するための説明図である。
【図１２】図１２は従来の道路分離構造体の問題点の他の例を説明するための説明図である。
【発明を実施するための形態】
【００４０】
歩行者や自転車運転者に対して畦畔体の存在を認識させるための防護柵や標識柱の位置を容易に変更できるようにするという目的を、簡単な構成で、畦畔体の強度を損なわずに実現した。
【実施例１】
【００４１】
図１はポールタイプの標識体を取り付けた道路分離構造体（部分）の斜視図、図２はポールタイプの標識体を取り付けた道路分離構造体（部分）の断面図、図３はポールタイプの標識体を取り付けた道路分離構造体（部分）の側面図である。
【００４２】
これらの図に示すように、道路分離構造体は、歩道又は車道の長手方向に設置して所定幅の自転車道を区画する略台形状の畦畔体１０と、畦畔体１０の上部に取り付けられた所定高さを有する標識体１２と、標識体１２の基部を畦畔体１０に固定する取付具１４とにより構成されている。
【００４３】
畦畔体１０は長尺の略台形状の鋼製ブロックからなり、断面形状は上部が台形で下部が矩形になっている。畦畔体１０の両端部の裏面には短尺の足部（図示せず）が各々設けられ、畦畔体１０の中間部の底面が道路の表面から少し浮き上がるようになっていて、道路の表面の不陸に対応できるようになっている。
【００４４】
標識体１２は、ポールタイプのものに限らず、図４に示すような柵タイプのものでもよい。標識体１２には、図５に示すように、交通標識を表示してもよいし、標識体１２に反射テープや反射板を取り付けるようにしてもよい。
【００４５】
取付具１４は、畦畔体１０の上部及び側部と略同一の断面形状を有する上部カバー部材１６と、畦畔体１０の下縁部に係合する一対の断面略Ｌ字形の係合部材１８と、係合部材１８を上部カバー部材１６の側部に連結させるボルト２０とにより構成されている。取付具１４は畦畔体１０に対して摺動可能で、畦畔体１０の任意の長手方向位置に固定できるようになっている。
【００４６】
係合部材１８には取付穴２２が設けられ、上部カバー部材１６の側部にはねじ穴２４が設けられ、係合部材１８の取付穴２２を通して上部カバー部材１６の側部のねじ穴２４にボルト２０をねじ込むことにより、上部カバー部材１６の側部に係合部材１８が固定されている。
【００４７】
なお、畦畔体１０及び標識体１２の材料としては、強度・耐久性の点で鋼製のものを挙げることができるが、木製、コンクリート製、その他いかなる材料のものでもよい。また、畦畔体１０及び標識体１２の側部を潤滑性の良い材料によって被覆又は形成するようにしてもよい。
【００４８】
また、畦畔体１０の内部に取付具１４を畦畔体１０の長手方向に移動させるための直線駆動機構を設けてもよい。直線駆動機構としては、ラック・アンド・ピニオン、ウォームラック、チェーン、ねじ軸、ボール・ナットを使用した機構を採用することができる。
【００４９】
また、畦畔体１０の内部は空洞になっているが、場合によっては、畦畔体１０を設置した後、図示しないがこの空洞内にコンクリート、土等を充填し、若しくは、水を入れた容器を格納して畦畔体１０を重くし、設置された畦畔体１０が移動し難くなるようにしてもよい。
【００５０】
また、畦畔体１０、標識体１２及び取付具１４の全部又は一部に光を反射する反射塗料を被覆するようにしてもよい。また、標識体１２に、太陽電池と、太陽電池によって作られた電気を蓄える蓄電池と、蓄電池に蓄えられた電気によって発光する発光体とを取り付けてもよい。
【００５１】
また、標識体１２にロープやベルトの端部を係合させる係合部を設けてもよいし、ロープやベルトを内蔵させてもよい。
【００５２】
この道路分離構造体は次のようにして設置し、その標識体の取付位置を調整することができる。
【００５３】
まず、歩道又は車道に自転車が通れる程度の幅を空けて畦畔体１０を連続的に設置する。次に、畦畔体１０の、標識体１２を設置したい位置に上部カバー部材１６を被せ、この位置で畦畔体１０の下縁部に係合部材１８を係合させ、この状態で係合部材１８の取付穴２２を通して上部カバー部材１６の側部のねじ穴２４にボルト２０をねじ込む。
【００５４】
ボルト２０の先端部がねじ穴２４を貫通して畦畔体１０の側部に当接するまでボルト２０を締めると、上部カバー部材１６の側部と係合部材１８がボルト２０によって固定されるとともに、畦畔体１０の所望位置に取付具１４が標識体１２とともに固定される。
【００５５】
この道路分離構造体を設置した後、標識体１２の位置を調整する必要が出てきた場合は、ボルト２０を緩め、この状態で取付具１４を標識体１２とともに所望の位置まで摺動させ、ここでボルト２０を締め、取付具１４を標識体１２とともに畦畔体１０に固定する。
【実施例２】
【００５６】
図６は畦畔体１０の上部に設けた溝に取付具を標識体とともに取り付ける様子を示す説明図、図７は畦畔体の上部に設けた溝に取付具を標識体とともに取り付ける様子を示す断面図である。
【００５７】
これらの図に示すように、畦畔体１０の上部に長手方向に沿って形成された断面略コ字状の溝２６と、溝２６内に摺動可能に挿入された取付具１４とを備え、溝２６は側部に長手方向に沿って嵌合溝２８又は嵌合スリット３０を有し、取付具１４は所望位置で回転させることにより嵌合溝２８又は嵌合スリット３０に嵌合できるようになっている。
【００５８】
標識体１２を移動させる必要がある場合は、取付具１４を回転させて取付具１４の方向を溝２６の方向と略平行にし、この状態で取付具１４を所望位置まで移動（摺動）させ、この位置で取付具１４を回転させる。取付具１４を回転させると、取付具１４の一部が溝２６の嵌合溝２８に嵌合し、取付具１４の他の一部が嵌合スリット３０に嵌合し、取付具１４が標識体１２とともにその位置で固定される。
【実施例３】
【００５９】
図８は畦畔体の上部に設けた穴に取付具を標識体とともに取り付ける様子を示す説明図である。この実施例では、畦畔体１０の上部に取付具１４を取り付けるための取付穴３２が長手方向に複数個設けられている。
【００６０】
標識体１２を移動させる必要がある場合は、取付具１４からボルト２０を外し、取付具１４を標識体１２とともに所望位置まで移動させ、この位置で取付具１４及び取付穴３２にボルト２０を取り付ける。取付具１４は標識体１２とともにその位置で固定される。
【産業上の利用可能性】
【００６１】
この構造体をグラウンドの適宜位置に設置することにより、グラウンドをサッカー、野球、ラグビー、トラック競技等に適した競技場に仕切る用途にも適用できる。
【符号の説明】
【００６２】
１０  畦畔体
１２  標識体
１４  取付具
１６  上部カバー部
１８  係合部材
２０  ボルト
２２  取付穴
２４  ねじ穴
２６  溝
２８  嵌合溝
３０  嵌合スリット
３２  取付穴
【図１】
0005996891.tif 000002
【図２】
0005996891.tif 000003
【図３】
0005996891.tif 000004
【図４】
0005996891.tif 000005
【図５】
0005996891.tif 000006
【図６】
0005996891.tif 000007
【図７】
0005996891.tif 000008
【図８】
0005996891.tif 000009
【図９】
0005996891.tif 000010
【図１０】
0005996891.tif 000011
【図１１】
0005996891.tif 000012
【図１２】
0005996891.tif 000013